(57)【要約】【課題】取り外した状態では充電され使用可能な状態なのか、放電による空状態なのか判定することができる使い勝手の良いバッテリーパックを提供する。【解決手段】複数回充電可能であり、外装部２２に接続端子３０が設けられているとともに、前記外装部２２の表面の少なくとも２箇所に充電状態を示すマーク３４が付されているバッテリー本体２０と、前記バッテリー本体２０の前記接続端子３０を含む前記外装部２２の一部に対して、少なくとも２つの異なる向きに取り付け可能な保護カバー４０と、を備え、前記保護カバー４０の表面には、カバーされる前記外装部２２の表面の一部分を認識可能な認識可能領域５０を有し、一方の向きに取り付けられた状態と、他方の向きに取り付けられた状態とでは、異なる前記マーク３４を認識できることを特徴とするバッテリーパック。【選択図】図１
2014056689.tif 000002
【特許請求の範囲】
【請求項１】
複数回充電可能であり、外装部に接続端子が設けられているとともに、前記外装部の表面の少なくとも２箇所に充電状態を示すマークが付されているバッテリー本体と、
前記バッテリー本体の前記接続端子を含む前記外装部の一部に対して、少なくとも２つの異なる向きに取り付け可能な保護カバーと、を備え、
前記保護カバーの表面には、カバーされる前記外装部の表面の一部分を認識可能な認識可能領域を有し、
一方の向きに取り付けられた状態と、他方の向きに取り付けられた状態とでは、異なる前記マークを認識できることを特徴とするバッテリーパック。
【請求項２】
前記保護カバーは、前後および／または左右対称形状であることを特徴とする請求項１に記載のバッテリーパック。
【請求項３】
前記保護カバーの前記認識可能領域は、前記保護カバーの面に設けられた可視光透過部であることを特徴とする請求項１または２に記載のバッテリーパック。
【請求項４】
前記可視光透過部は、前記保護カバーの面に開口された開口部、前記保護カバーの面に設けられた透明部・半透明部のいずれかを含むことを特徴とする請求項１乃至３のいずれか一項に記載のバッテリーパック。
【請求項５】
前記保護カバーの前記認識可能領域は、前記保護カバーの側面の一部に設けられた示唆部であることを特徴とする請求項１または２に記載のバッテリーパック。
【請求項６】
前記外装部の面に設けられた前記マークは、文字情報、色情報および記号情報のいずれかを含むことを特徴とする請求項１乃至５のいずれか一項に記載のバッテリーパック。
【請求項７】
前記保護カバーは、電源供給対象の電子機器に取り付けられたとき前記接続端子が前記電子機器と接続される面以外の面に取り付け可能なことを特徴とする請求項１乃至６のいずれか一項に記載のバッテリーパック。
【発明の詳細な説明】
【技術分野】
【０００１】
本発明は、保護カバーを備えたバッテリーパックに関する。
【背景技術】
【０００２】
近年、バッテリーパックは小型軽量化の傾向にあり、様々な電子機器本体に着脱可能に取り付けられる。この種のバッテリーパックは、電極等の接続端子類が外装部の端部に集約されている。このようなバッテリーパックを電子機器本体から取り外した場合、露出した電極が金属等に触れショートし発熱する虞がある。もしくは落下衝撃による破損変形が生じる虞がある。これらの不具合を防止するために、バッテリーパックの外周部の一部を保護カバー等の別部材で覆うことが提案されている（例えば、特許文献１参照）。
【先行技術文献】
【特許文献】
【０００３】
【特許文献１】特開２０１１−１０８４２２号公報
【発明の概要】
【発明が解決しようとする課題】
【０００４】
近年、充電することにより複数回使用できるバッテリーパックが主流になっている。この種のバッテリーパックは、取り外した状態では充電され使用可能な状態なのか、放電による空状態なのか判断することができなかった。
【課題を解決するための手段】
【０００５】
本発明は、上述の課題の少なくとも一部を解決するためになされたものであり、以下の形態または適用例として実現することが可能である。
【０００６】
（適用例１）複数回充電可能であり、外装部に接続端子が設けられているとともに、前記外装部の表面の少なくとも２箇所に充電状態を示すマークが付されているバッテリー本体と、前記バッテリー本体の前記接続端子を含む前記外装部の一部に対して、少なくとも２つの異なる向きに取り付け可能な保護カバーと、を備え、前記保護カバーの表面には、カバーされる前記外装部の表面の一部分を認識可能な認識可能領域を有し、一方の向きに取り付けられた状態と、他方の向きに取り付けられた状態とでは、異なる前記マークを認識できることを特徴とするバッテリーパック。
【０００７】
この構成によれば、保護カバーは、バッテリー本体を電子機器等から取り外した状態において、バッテリー本体の接続端子を含む外装部を覆うことができる。そのため、電極同士間のショートや落下衝撃による破損変形の危険性を低減することができる。
なお、本実施形態では、複数の二次電池（充電用電池）が樹脂等の筐体に収められたものをバッテリー本体とし、保護カバー等が付加されユーザーが取り扱いしやすいようまとめられたものをバッテリーパックと定義する。
【０００８】
また、保護カバーは、バッテリー本体に少なくとも２つの向きで取り付けられることができる。このとき、取り付ける向きによって、外装部表面の異なるマークをそれぞれ認識することができる。そのため、一方のマークを充電され使用可能な状態を示すマークとし、他方のマークを放電による空状態を示すマークとして、充電状態に対応してそのマークを視認できる向きで保護カバーを取り付けることができる。その結果、バッテリーパック単体でも当該バッテリーパックの充電状態を容易に知ることができる。従って、使い勝手のよいバッテリーパックを提供することができる。
【０００９】
（適用例２）前記保護カバーは、前後および／または左右対称形状であることを特徴とする上記のバッテリーパック。
【００１０】
この構成によれば、保護カバーは、少なくとも２つの異なる向きでバッテリー本体の外装部に取り付けられる。
【００１１】
（適用例３）前記保護カバーの前記認識可能領域は、前記保護カバーの面に設けられた可視光透過部であることを特徴とする上記のバッテリーパック。
【００１２】
（適用例４）前記可視光透過部は、前記保護カバーの面に開口された開口部、前記保護カバーの面に設けられた透明部・半透明部のいずれかを含むことを特徴とする上記のバッテリーパック。
【００１３】
これらの構成によれば、保護カバーの開口部、透明部、半透明部等の可視光透過部を通して、外装部の表面に付された２箇所の充電状態を示すマークのいずれかを視認することができる。
【００１４】
（適用例５）前記保護カバーの前記認識可能領域は、前記保護カバーの側面の一部に設けられた示唆部であることを特徴とする上記のバッテリーパック。
【００１５】
この構成によれば、保護カバーに設けられた矢印や三角記号等の示唆部を用いて、異なる向きに取り付けられたとき、外装部に付されたマークを指し示すことができる。そのため、取り付け方向により充電状態を示す情報を明らかにすることができる。
【００１６】
（適用例６）前記外装部の面に設けられた前記マークは、文字情報、色情報および記号情報のいずれかを含むことを特徴とする上記のバッテリーパック。
【００１７】
この構成によれば、バッテリーパックの充電状態、すなわち充電され使用可能な状態かもしくは放電による空状態なのかを、文字を用いて表記したり、色の違いや記号の種類によって表したりすることができる。
【００１８】
（適用例７）前記保護カバーは、電源供給対象の電子機器に取り付けられたとき前記接続端子が前記電子機器と接続される面以外の面に取り付け可能なことを特徴とする上記のバッテリーパック。
【００１９】
この構成によれば、バッテリーパックが電源供給対象の電子機器に取り付けられたとき、すなわち使用に供して接続端子から外された状態のとき、保護カバーを仮保持することができる。そのため、保護カバーの紛失を防止できる。
【図面の簡単な説明】
【００２０】
【図１】バッテリーパックの外観斜視図。
【図２】バッテリー本体の外観斜視図。
【図３】保護カバーを説明する図。
【図４】バッテリーパックの充電状態の表示方法を説明する図。
【図５】第２実施形態に係るバッテリーパックを説明する図。
【発明を実施するための形態】
【００２１】
以下、本実施形態について図面を参照して説明する。なお、以下の説明で参照する図面では、説明および図示の便宜上、部材ないし部分の縦横の縮尺を実際のものとは異なるように表す場合がある。
【００２２】
（第１実施形態）
（バッテリーパックの構成について）
まず、第１実施形態に係るバッテリーパックの全体構成について、図１を参照して説明する。図１は、バッテリーパックの外観斜視図である。なお、図１に示すＸ方向はバッテリーパックの長手方向を示し、Ｙ方向は、Ｘ方向と直交する方向を示し、Ｚ方向は、Ｘ方向およびＹ方向と直交する方向を示す。
【００２３】
バッテリーパック１０は、複数回充電可能であり、例えば携帯用の電子機器等に着脱可能に装着されて電子機器に電流を供給する機能を有する。図１に示すように、バッテリーパック１０は、バッテリー本体２０と保護カバー４０とを有している。保護カバー４０は、バッテリー本体２０の第１面２３とその周囲の側面の一部とを覆うように取り付けられる。なお、本実施形態では、複数の二次電池（充電用電池）が樹脂等の筐体に収められたものをバッテリー本体２０とし、保護カバー４０等が付加されユーザーが取り扱いしやすいようにまとめたものをバッテリーパック１０と定義する。
【００２４】
（バッテリー本体について）
バッテリー本体について、図２を参照して説明する。図２は、バッテリー本体の外観斜視図である。図２に示すＸ方向、Ｙ方向およびＺ方向は、図１に示すＸ方向、Ｙ方向およびＺ方向と同じ方向を示す。
【００２５】
図２に示すように、バッテリー本体２０は、少なくとも、図示しない複数の二次電池と、同じく図示しない回路基板と、これらを覆う外装部２２とを備える。二次電池は、例えばリチウムイオン電池やポリマー電池等が好適に適用される。回路基板には、二次電池の過電流を保護したり、二次電池の過充電や過放電を防止したりする回路が形成されている。二次電池および回路基板は電池コアを形成し外装部２２の内部に収められている。
【００２６】
外装部２２は、例えばプラスチック等の材料が適用され、図中Ｘ方向を長手方向とする略直方体形状に一体成形されている。プラスチック材料としては、ガラス繊維やカーボン繊維等の繊維を埋設して補強される難燃性のプラスチック、例えばＰＰＳ（ポリフェニレンサルファイト）等が好適に用いられる。但し、外装部２２の材料としては、ポリカーボネート等の他の材料であってもよい。
【００２７】
図２に示すように、バッテリー本体２０の外装部２２は、長方形形状の第１面２３を有している。この第１面２３は、バッテリー本体２０を電子機器に装着したとき、電子機器に相対する面である。外装部２２は、第１面２３の４つの辺からそれぞれ立ち上がる４つの側面２４，２５，２６，２７を有し、４つの側面２４，２５，２６，２７は第１面２３と対向する第２面２８で結合されている。
【００２８】
第１面２３の１つの短辺２３ａ側には、第１面２３と側面２５との稜線に一部が掛かるように四角形の電極窓２９が例えば４つ形成されている。これらの電極窓２９からは電池コアの出力端子３０が外部に露出している。この出力端子３０は、バッテリー本体２０が電子機器に装着されたとき、電子機器の図示しない入力端子と圧接状態で接触して導通が図られる。
【００２９】
外装部２２のＹ方向において対向する２つの側面２６および側面２７には、第１面２３側近傍にそれぞれ２つの凹状の取り付け凹部３２（３２ａ，３２ｂ，３２ｃ，３２ｄ）が形成されている。側面２６に設けられた取り付け凹部３２ａ，３２ｂと、側面２７に設けられた取り付け凹部３２ｃ，３２ｄとは、第１面２３側から見た場合左右対称の位置に形成されている。また、側面２６に設けられた取り付け凹部３２ａと取り付け凹部３２ｂとは、側面２６を平面視した場合左右対称の位置に形成されている。同様に、側面２７に設けられた取り付け凹部３２ｃと取り付け凹部３２ｄとは、側面２７を平面視した場合左右対称の位置に形成されている。この取り付け凹部３２は、バッテリー本体２０を電子機器に装着するとき使用されるとともに、後述の保護カバー４０が取り付けられるときに使用される。
【００３０】
図２に示すように、外装部２２の第１面２３には、列状の出力端子３０からわずかに離れた位置に出力端子３０列に沿うようにＹ方向に所定の距離をおいて２つのマーク３４が付されている。このマーク３４は、バッテリー本体２０の充電状態を示すマークである。本実施形態では、マーク３４は、円形状の所定の領域を占める赤マーク３４ａおよび青マーク３４ｂの色マークである。このようにバッテリー本体２０の充電状態を色の種類で表すことを色情報で示すという。ここでは、例えば、赤マーク３４ａは、バッテリー本体２０が充電され使用可能な状態であることを示し、青マーク３４ｂは、バッテリー本体２０が放電され空状態であることを示す。
【００３１】
（保護カバーについて）
次いで、保護カバーについて、図３を参照して説明する。図３は、保護カバーを説明する図であり、詳しくは蓋状の保護カバーを内側から見た斜視図である。図３に示すＸ方向、Ｙ方向およびＺ方向は、図１に示すＸ方向、Ｙ方向およびＺ方向と同じ方向を示す。
【００３２】
図３に示すように、保護カバー４０は、例えばプラスチック等の材料が適用され蓋形状に形成されている。保護カバー４０は、バッテリー本体２０の第１面２３の面積とほぼ同等かわずかに大きい長方形形状の第１面４２を有している。この第１面４２は、保護カバー４０をバッテリー本体２０に装着したとき、バッテリー本体２０の第１面２３をカバーする面である。保護カバー４０は、第１面４２の４つの辺から所定の高さでそれぞれ立ち上がる４つの側壁４４，４５，４６，４７を有している。
【００３３】
保護カバー４０の対向する２つの側壁４６および側壁４７には、蓋形状の内側方向に突出するようにそれぞれ２つの凸状の取り付け突起４９（４９ａ，４９ｂ，４９ｃ，４９ｄ）が形成されている。側壁４６に設けられた取り付け突起４９ａ，４９ｂは、保護カバー４０がバッテリー本体２０に取り付けられたとき、バッテリー本体２０の側面２６に設けられた取り付け凹部３２ａ，３２ｂと係合する位置に形成されている。側壁４７に設けられた取り付け突起４９ｃ，４９ｄは、保護カバー４０がバッテリー本体２０に取り付けられたとき、バッテリー本体２０の側面２７に設けられた取り付け凹部３２ｃ，３２ｄと係合する位置に形成されている。
【００３４】
保護カバー４０の対向する２つの側壁４４および側壁４５には、隣接する側壁４６および側壁４７に近い位置に深さ方向に切り込む切り込み５１がそれぞれ２ケ所ずつ形成されている。そのため、取り付け突起４９が設けられた２つの側壁４６および側壁４７は、取り付け突起４９の突出する方向に弾性的に変形することが可能である。
【００３５】
また、保護カバー４０の第１面４２には、２つの認識可能領域（可視光透過部）としての丸穴５０（５０ａ，５０ｂ）が形成されている。丸穴５０ａ，５０ｂは、第１面４２のＹ方向中心から一方に寄った範囲にＸ方向に所定の間隔を隔てて形成されている。丸穴５０の大きさはバッテリー本体２０の第１面２３に設けられたマーク３４（３４ａ，３４ｂ）の直径よりわずかに小さい直径である。この丸穴５０（５０ａ，５０ｂ）とマーク３４（３４ａ，３４ｂ）との関係については後述する。
【００３６】
（バッテリーパックの充電状態の表示方法について）
次いで、上述のバッテリーパックの充電状態の表示方法について図４を参照して説明する。図４は、バッテリーパックの充電状態の表示方法を説明する図であり、（ａ）は、バッテリー本体に保護カバーを取り付けた１つの態様を示し、（ｂ）は、（ａ）に対して保護カバーを１８０°回転させバッテリー本体に取り付けた他の態様を示す。
【００３７】
上述のように、図２に示すバッテリー本体２０の対向する２つの側面２６および側面２７に設けられた凹状の取り付け凹部３２ａ，３２ｂ，３２ｃ，３２ｄは、第１面２３側から見た場合と側面２６および側面２７を平面視した場合とにおいて左右対称の位置に形成されている。また、図３に示す保護カバー４０の対向する２つの側壁４６および側壁４７に設けられた取り付け突起４９ａ，４９ｂ，４９ｃ，４９ｄは、バッテリー本体２０の側面２６および側面２７に設けられた取り付け凹部３２ａ，３２ｂ，３２ｃ，３２ｄと係合する位置に形成されている。
【００３８】
そのため、保護カバー４０は、バッテリー本体２０に対して少なくとも１８０°方向が異なる２つの姿勢で取り付けられることができる。また、保護カバー４０は、取り付け突起４９が設けられた２つの側壁４６および側壁４７を弾性的に変形させることによって、バッテリー本体２０に容易に取り付けもしくは取り外すことができる。
【００３９】
その結果、ユーザーは、使用済のバッテリー本体２０を電子機器から取り外し、充電器等で再充電した場合、バッテリー本体２０の出力端子３０が金属等に触れショートすることや落下衝撃による破損変形を防止するため保護カバー４０をバッテリー本体２０に取り付けることができる。ただし、この場合、このバッテリーパック１０は、充電され使用可能な状態なのか、放電による空状態なのか単独で判断することができなかった。本発明は、この課題を解決するためになされたものである。
【００４０】
本発明は、バッテリー本体２０の充電状態に応じ保護カバー４０の取り付け方向を規定して、バッテリーパック１０の状態で充電状態を示すマーク３４を選択的に視認可能な状態にするものである。
【００４１】
バッテリー本体２０が充電され使用可能な状態では、図４（ａ）に示すように、保護カバー４０をバッテリー本体２０に１つの態様（以下、第１取り付け形態Ｇという）で取り付ける。すなわち、保護カバー４０の第１面４２に設けられた丸穴５０ａ（可視光透過部）とバッテリー本体２０の第１面２３に設けられた赤マーク３４ａとの位置を合わせ、丸穴５０ａから赤マーク３４ａが視認できるようにする。このとき、もう１つの丸穴５０ｂは、マーク３４のない場所に位置している。なお、前述のように赤マーク３４ａは、バッテリー本体２０が充電され使用可能な状態であることを示すマークである。そのため、第１取り付け形態Ｇでは、このバッテリーパック１０が充電され使用可能な状態であることを示すことができる。
【００４２】
一方、バッテリー本体２０が放電された空充電状態では、図４（ｂ）に示すように、保護カバー４０を１８０°回転させた状態でバッテリー本体２０に取り付ける。この状態を第２取り付け形態Ｈという。すなわち、保護カバー４０の第１面４２に設けられた丸穴５０ｂ（可視光透過部）とバッテリー本体２０の第１面２３に設けられた青マーク３４ｂとの位置を合わせ、丸穴５０ｂから青マーク３４ｂが視認できるようにする。このとき、もう１つの丸穴５０ａは、マーク３４のない場所に位置している。なお、前述のように青マーク３４ｂは、バッテリー本体２０が放電され空充電状態であり使用不可な状態であることを示すマークである。そのため、第２取り付け形態Ｈでは、このバッテリーパック１０が放電され使用不可な状態であることを示すことができる。
【００４３】
すなわち、上述のバッテリーパック１０は、保護カバー４０の取り付け方向を選択的に規定することによって、バッテリー本体２０の出力端子３０が金属等に触れショートすることや落下衝撃により破損変形することを防止することができるとともに、バッテリー本体２０の充電状態を表示することができる。そのため、使い勝手のよいバッテリーパックを提供することができる。
【００４４】
（その他の実施形態）
ここで、その他の実施形態に係るバッテリーパックについて説明する。なお、第１実施形態と同様な構成および内容については、符号を等しくして説明を省略する。
【００４５】
（第２実施形態）
まず、第２実施形態に係るバッテリーパックについて図５を参照して説明する。図５は、第２実施形態に係るバッテリーパックを説明する図であり、り、（ａ）は、バッテリー本体に保護カバーを取り付けた１つの態様を示し、（ｂ）は、（ａ）に対して保護カバーを１８０°回転させバッテリー本体に取り付けた他の態様を示す。第１実施形態では、保護カバー４０の認識可能領域（可視光透過部）として２つの丸穴５０（５０ａ，５０ｂ）を用いて、バッテリー本体２０の充電状態を示すマーク３４を視認する場合について説明したが、これに限定されない。
【００４６】
図５に示すように、保護カバー４０Ａは、例えばポリカーボネート等の透過可能な材料が適用され蓋形状に形成されている。そのため、透過可能な保護カバー４０Ａがバッテリー本体２０に取り付けられたとき、保護カバー４０Ａの第１面４２を介して外装部２２の第１面２３を視認することが可能となる。すなわち、保護カバー４０Ａを介して、例えばバッテリー本体２０の出力端子３０が露出する四角形の電極窓２９を視認することも可能である。
【００４７】
この保護カバー４０Ａは、上述の第１取り付け形態Ｇで保護カバー４０Ａがバッテリー本体２０に取り付けられたとき、視認される電極窓２９の形状に合わせた四角形の刻印５５が第１面４２に設けられている。この刻印５５は、第１取り付け形態Ｇでは、バッテリー本体２０の電極窓２９と一致するが、保護カバー４０Ａが１８０°回転させられた上述の第２取り付け形態Ｈでは、バッテリー本体２０の電極窓２９と一致しない。
【００４８】
そのため、例えば保護カバー４０Ａの四角形の刻印５５が、バッテリー本体２０の電極窓２９と一致する場合は、バッテリー本体２０が充電され使用可能な状態であるとし、刻印５５が、バッテリー本体２０の電極窓２９と一致しない場合はバッテリー本体２０が放電され空充電状態であり使用不可な状態であると規定することができる。このように、保護カバーを半透明にするとともに、視認されるバッテリー本体２０の特徴的な形状と一致する刻印５５等を設け、バッテリー本体２０の充電状態を表示することも可能である。
【００４９】
（第３実施形態）
第１実施形態では、バッテリー本体２０の充電状態を示すマーク３４として、赤マーク３４ａおよび青マーク３４ｂ等の色情報を例にとり説明したが、これに限定されない。バッテリー本体２０の充電状態を示すマーク３４として、例えば充電され使用可能な状態を示す「ＦＵＬＬ」もしくは「満」、および放電され空充電状態を示す「ＥＭＰＴＹ」もしくは「空」等に代表される文字情報を用いてもよい。また、充電され使用可能な状態を示す「◎」および放電され空充電状態を示す「×」等に代表される記号情報であってもよい。バッテリー本体２０の充電状態を何らかの方法で表示できればよい。また、充電状態の表示は、２つに限定されない。
【００５０】
（第４実施形態）第１実施形態では、保護カバー４０の認識可能領域（可視光透過部）として２つの丸穴５０（５０ａ，５０ｂ）を用いた場合について説明したが、これに限定されない。他の形状の開口部であってもよいし、保護カバー４０をポリカーボネート等の透過可能な材料を用い、認識可能領域以外の領域をシボ加工等で識別不能な状態に加工してもよい。また、全面シボ加工とし、認識可能領域のシボ加工のみを荒くしてもよい。保護カバー４０の取り付け方向を規定してバッテリー本体２０のマーク３４を選択的に視認可能であればよい。
【００５１】
（第５実施形態）第１実施形態では、認識可能領域として丸穴５０等の可視光透過部を採用した場合を例にとり説明したが、これに限定されない。バッテリー本体２０や保護カバー４０のいずれか一方に認識可能領域として矢印や三角マーク等の示唆部を設け、他方に充電状態を示すマーク３４を設けてもよい。
【００５２】
（第６実施形態）第１実施形態では、マーク３４および認識可能領域としての丸穴５０を、いわゆる天面に設けた場合を例にとり説明したが、これに限定されない。マーク３４および認識可能領域は、側面であってもよい。
【００５３】
（第７実施形態）バッテリー本体２０が電源供給対象の電子機器に取り付けられたとき、保護カバー４０は、電子機器と接続される第１面２３以外の面、例えば第２面２８に取り付け可能となっている。このとき、バッテリー本体２０の側面２６，２７の第２面２８側に新たな取り付け凹部３２（３２ａ，３２ｂ，３２ｃ，３２ｄ）を設けてもよいし、バッテリー本体２０の側面２６，２７に設けられた取り付け凹部３２の位置や保護カバー４０に設けられた取り付け突起４９の位置を変更して共通使用してもよい。
【００５４】
この構成によれば、バッテリー本体２０が電源供給対象の電子機器に取り付けられたとき、保護カバー４０を仮保持することができる。そのため、保護カバー４０の紛失を防止できる。
【００５５】
以上、本発明の実施形態について説明したが、上記実施形態に対しては、本発明の趣旨から逸脱しない範囲で様々な変形を加えることができる。
【符号の説明】
【００５６】
１０…バッテリーパック、２０…バッテリー本体、２２…外装部、２３…外装部の第１面、２４，２５，２６，２７…側面、２９…電極窓、３０…接続端子としての出力端子、３２，３２ａ，３２ｂ，３２ｃ，３２ｄ…取り付け凹部、３４…マーク、３４ａ…赤マーク、３４ｂ…青マーク、４０，４０Ａ…保護カバー、４２…保護カバーの第１面、４４，４５，４６，４７…側壁、４９，４９ａ，４９ｂ，７９ｃ，４９ｄ…取り付け突起、５０…丸穴。
【図１】
2014056689.tif 000003
【図２】
2014056689.tif 000004
【図３】
2014056689.tif 000005
【図４】
2014056689.tif 000006
【図５】
2014056689.tif 000007